(57)【特許請求の範囲】
【請求項１】
複数のデバイスを選択的に稼働させるための画像処理を指示する指示手段と、
前記指示手段で指示された画像処理に応じて選択されたデバイスを稼働して、画像処理を実行する実行手段と、
前記指示手段で指示された画像処理に応じて稼働するデバイス毎に、独立して給電又は給電遮断を制御すると共に、前記デバイスへの給電を遮断するまでの時間を計測する場合に、少なくとも異なる計測時間である計測機能を備え、先の画像処理の終了時に相対的に長い計測時間の計測機能による計測を起動し、前記先の画像処理の終了時に給電されているが、後の画像処理に不要なデバイスを対象として、相対的に短い計測時間の計測機能による計測を起動させる電力供給制御手段と、
を有する電力供給制御装置。
【請求項２】
複数のデバイスを選択的に稼働させるための画像処理を指示する指示手段と、
前記指示手段で指示された画像処理に応じて選択されたデバイスを稼働して、画像処理を実行する実行手段と、
前記指示手段で指示された画像処理に応じて稼働するデバイス毎に、独立して給電又は給電遮断を制御する制御手段と、
前記画像処理が完了した時点で起動され、給電遮断までの時間を計測する第１の計測機能を備えた第１の計測手段と、
前記第１の計測手段による計測中に、新たな画像処理が指示されたときに、先の画像処理で使用され、後の画像処理で使用されないデバイスを抽出する抽出手段と、
前記抽出手段で抽出されたデバイスに対して起動され、給電遮断までの時間を計測すると共に、第１の計測手段による給電遮断までの計測時間よりも短い計測時間の第２の計測機能を備えた第２の計測手段と、
を有する電力供給制御装置。
【請求項３】
画像読取手段を用いて原稿画像を読み取るスキャナ機能、前記画像読取手段で読み取った画像データを画像形成手段を用いて記録用紙へ画像を形成するコピー機能、前記画像読取手段で読み取った画像データ又は画像データ送受信手段で受け付けた画像データを前記画像形成手段を用いて記録用紙へ画像を形成するプリント機能、前記画像読取手段で読み取った画像データを前記画像データ送受信手段を用いて外部へ送信するファクシミリ送信機能、前記画像データ送受信手段で受け付けた画像データを前記画像形成手段を用いて記録用紙へ画像を形成するファクシミリ受信機能の何れかの画像処理を指示する操作部を備えた操作手段と、前記操作手段の操作部の操作によって指示された画像処理に適用される前記画像読取手段、前記画像形成手段、前記画像データ送受信手段を含むデバイス毎に、独立して給電又は給電遮断を制御する制御手段と、
前記画像処理が完了した時点で起動され、給電遮断までの時間を計測する第１の計測手段と、
前記第１の計測手段による計測中に、新たな画像処理が指示されたときに、先の画像処理で使用され、後の画像処理で使用されないデバイスを抽出する抽出手段と、
前記抽出手段で抽出されたデバイスに対して起動され、給電遮断までの時間を計測すると共に、第１の計測手段による給電遮断までの計測時間よりも短い計測時間の第２の計測手段と、
を有する画像処理装置。
【請求項４】
コンピュータを、前記請求項１又は請求項２記載の電力供給制御装置として実行させる電力供給制御プログラム。
【発明の詳細な説明】
【技術分野】
【０００１】
本発明は、電力供給制御装置、画像処理装置、電力供給制御プログラムに関する。
【背景技術】
【０００２】
特許文献１には、電源起動時又は電源起動時と同様の起動手順を必要とする省電力状態からの復帰時に、優先的に起動する機能を選択し、当該選択した機能に対応するプログラムを優先的に起動することが記載されている。なお、選択する機能は複数であってもよいことも記載されている。
【０００３】
特許文献２には、機能キーと装置を起動する電源キーが両方同時に押されたときは、選択された諸機能部だけに電力が供給されて起動することが記載されている。
【０００４】
特許文献３には、画像読取装置と画像形成装置とで個別の省エネ移行タイマを持ち、画像データの入力および出力処理が終了してからの経過時間が省エネ移行時間にたっしたとき、画像読取装置、画像形成装置を個別にオフに切り替えることが記載されている。また、所定期間内にユーザが使用した使用回数を集計し、集計された使用回数に基づいて省エネ移行時間を設定することが記載されている。
【先行技術文献】
【特許文献】
【０００５】
【特許文献１】特開２００７−１９４８７６号公報
【特許文献２】特開２００７−３３４０９４号公報
【特許文献３】特開２００８−２１９５７３号公報
【発明の概要】
【発明が解決しようとする課題】
【０００６】
本発明は、選択された機能を省電力状態から復帰させた場合において、本構成を有しない場合に比べて、復帰後の当該機能の処理状況に応じた最適な時期に、省電力モードへ移行させることができる電力供給制御装置、画像処理装置、電源供給制御プログラムを得ることが目的である。
【課題を解決するための手段】
【０００７】
請求項１に記載の発明は、複数のデバイスを選択的に稼働させるための画像処理を指示する指示手段と、前記指示手段で指示された画像処理に応じて選択されたデバイスを稼働して、画像処理を実行する実行手段と、前記指示手段で指示された画像処理に応じて稼働するデバイス毎に、独立して給電又は給電遮断を制御すると共に、前記デバイスへの給電を遮断するまでの時間を計測する場合に、少なくとも異なる計測時間である計測機能を備え、先の画像処理の終了時に相対的に長い計測時間の計測機能による計測を起動し、前記先の画像処理の終了時に給電されているが、後の画像処理に不要なデバイスを対象として、相対的に短い計測時間の計測機能による計測を起動させる電力供給制御手段と、を有している。
【０００８】
請求項２に記載の発明は、前記請求項１に記載の発明において、複数のデバイスを選択的に稼働させるための画像処理を指示する指示手段と、前記指示手段で指示された画像処理に応じて選択されたデバイスを稼働して、画像処理を実行する実行手段と、前記指示手段で指示された画像処理に応じて稼働するデバイス毎に、独立して給電又は給電遮断を制御する制御手段と、前記画像処理が完了した時点で起動され、給電遮断までの時間を計測する第１の計測機能を備えた第１の計測手段と、前記第１の計測手段による計測中に、新たな画像処理が指示されたときに、先の画像処理で使用され、後の画像処理で使用されないデバイスを抽出する抽出手段と、前記抽出手段で抽出されたデバイスに対して起動され、給電遮断までの時間を計測すると共に、第１の計測手段による給電遮断までの計測時間よりも短い計測時間の第２の計測機能を備えた第２の計測手段と、を有している。
【００１１】
請求項３に記載の発明は、画像読取手段を用いて原稿画像を読み取るスキャナ機能、前記画像読取手段で読み取った画像データを画像形成手段を用いて記録用紙へ画像を形成するコピー機能、前記画像読取手段で読み取った画像データ又は画像データ送受信手段で受け付けた画像データを前記画像形成手段を用いて記録用紙へ画像を形成するプリント機能、前記画像読取手段で読み取った画像データを前記画像データ送受信手段を用いて外部へ送信するファクシミリ送信機能、前記画像データ送受信手段で受け付けた画像データを前記画像形成手段を用いて記録用紙へ画像を形成するファクシミリ受信機能の何れかの画像処理を指示する操作部を備えた操作手段と、前記操作手段の操作部の操作によって指示された画像処理に適用される前記画像読取手段、前記画像形成手段、前記画像データ送受信手段を含むデバイス毎に、独立して給電又は給電遮断を制御する制御手段と、前記画像処理が完了した時点で起動され、給電遮断までの時間を計測する第１の計測手段と、前記第１の計測手段による計測中に、新たな画像処理が指示されたときに、先の画像処理で使用され、後の画像処理で使用されないデバイスを抽出する抽出手段と、前記抽出手段で抽出されたデバイスに対して起動され、給電遮断までの時間を計測すると共に、第１の計測手段による給電遮断までの計測時間よりも短い計測時間の第２の計測手段と、を有している。
【００１２】
請求項４に記載の発明は、コンピュータを、前記請求項１又は請求項２記載の電力供給制御装置として実行させる電力供給制御プログラムである。
【発明の効果】
【００１３】
請求項１、請求項２、請求項５、請求項６に記載の発明によれば、選択された機能を省電力状態から復帰させた場合において、本構成を有しない場合に比べて、復帰後の当該機能の処理状況に応じた最適な時期に、省電力モードへ移行させることができる。
【図面の簡単な説明】
【００１５】
【図１】第１の実施の形態に係る画像処理装置の概略図である。
【図２】第１の実施の形態に係るメインコントローラのハード構成図である。
【図３】第１の実施の形態に係る電源制御回路の概略構成図である。
【図４】第１の実施の形態に係る画像処理装置のＵＩパネルの正面図である。
【図５】第１の実施の形態に係る画像処理における電源供給制御ルーチンを示すフローチャートである。
【図６】画像処理装置での節電並びに節電復帰に関するタイミングチャートであり、（Ａ）は本実施の形態、（Ｂ）及び（Ｃ）はその比較例である。
【図７】第２の実施の形態に係るメインコントローラと電源装置との概略構成図である。
【発明を実施するための形態】
【００１６】
（第１の実施の形態）
図１には、第１の実施の形態に係る画像処理装置１０が示されている。画像処理装置１０は、記録用紙に画像を形成する画像形成部１２と、原稿画像を読み取る画像読取部１４とを備えている。画像処理装置１０は、メインコントローラ１６を備えており、画像形成部１２の画像形成制御部２４と、画像読取部１４の画像読取制御部２６と接続されている。このメインコントローラ１６では、画像形成制御部２４及び画像読取制御部２６を制御して、画像読取部１４で読み取った原稿画像の画像データを一次的に記憶したり、画像形成部１２へ送出されるようになっている。
【００１７】
メインコントローラ１６には、インターネット等のネットワーク通信回線網２０及び電話回線網２２にそれぞれ接続されている。メインコントローラ１６は、例えば、ネットワーク通信回線網２０を介してホストコンピュータと接続され、画像データを受信したり、電話回線網２２を介してファクシミリ受信及びファクシミリ送信を実行する役目を有している。
【００１８】
画像形成部１２は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、顕像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００１９】
画像読取部１４は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００２０】
図２は、メインコントントローラ１６の詳細構成図である。
【００２１】
メインコントローラ１６は、ＣＰＵ２８を中心に各ハード構成部品がバス接続されている。
【００２２】
すなわち、ＣＰＵ２８には、ＳＡＴＡライン３０を介してハードディスク（ＨＤＤ）３２が接続されている。
【００２３】
また、ＣＰＵ２８には、メモリバス３４を介して、システムＲＡＭ３６、プログラムＲＯＭ３８が接続されている。
【００２４】
さらに、ＣＰＵ２８には、第１のＰＣＩバス４０を介してユーザインターフェイス（ＵＩ）制御回路４２、ビデオインタフェース回路（Ｖ−Ｉ／Ｆ）４４が接続されている。
【００２５】
ＵＩ制御回路４２には、ＵＩパネル４６が接続され、Ｖ−Ｉ／Ｆ回路４４には、画像形成制御部２４及び画像読取部２６が接続されている。
【００２６】
また、ＣＰＵ２８には、第２のＰＣＩバス４８を介してネットワークＩ／Ｆ回路５０、電源制御回路５２が接続されている。ネットワークＩ／Ｆ５０には、ホストコンピュータ５４が接続されている。また、電源制御回路５２には、タイマ回路５６が接続されると共に、サブ電源スイッチステータス信号が入力されるようになっている。
【００２７】
以下に、サブ電源スイッチステータス信号について説明する。
【００２８】
第１の実施の形態では、画像処理装置１０の電力消費を軽減する目的で、非稼動時、かつ予め定めた条件が成立したときに、メインコントローラ１６を除く、各デバイス（主として、画像形成部１２、画像読取部１４を含む）への電源の供給を遮断するようにしている（なお、メインコントローラ１６においても、条件成立で電池等の蓄積電力で、必要最小限の動作させるようにしてもよい）。
【００２９】
この電源の供給又は供給遮断の制御を行うのが、電源制御回路５２である。電源制御回路５２では、電源の供給又は供給遮断を、各デバイスに接続される電源ラインに介在されたサブ電源スイッチ７０、８２、８４、８６、８８（図３参照）のオン・オフによって制御しており、ＵＩパネル４６の操作によって処理する機能が指示されたとき、当該サブ電源スイッチ５８、６０、６２、６４、６６の状態（ステータス信号）を受信することで、必要充分なデバイスに電源を供給する。
【００３０】
図３には、メインコントローラ１６（詳細には、図２の電源制御回路５２）による、デバイスへの電源供給又は供給遮断制御が実行される電源装置５８が示されている。
【００３１】
商用電源（ＡＣ電源）線６０には、メインスイッチ６２が介在されている。このメインスイッチ６２がオンすることで、電源装置５８の第１の電源部６４及び第２の電源部６６へ商用電源が供給される。
【００３２】
第１の電源部６４は、メインコントローラ１６に接続されている。このため、メインコントローラ１６は、常に商用電源を受けることになる。
【００３３】
一方、第２の電源部６６へ接続される電源線６８には、第１のサブ電源スイッチ７０（以下、「ＳＷ−１」という場合がある。）が介在されている。このＳＷ−１は、コントローラ１６（電源制御回路５２）に接続されている。メインコントローラ１６では、ＳＷ−１のオン・オフを制御する（電源制御信号１）。
【００３４】
また、第２の電源部６６は、各デバイス（画像形成部１２、画像読取部１４、ＵＩパネル４６、ファクシミリ７２）にそれぞれ別々の電源線７４、７６、７８、８０により電源を供給している。
【００３５】
ここで、電源線７４には、第２のサブ電源スイッチ８２（以下、「ＳＷ−２」という場合がある。）が介在され、電源線７６には、第３のサブ電源スイッチ８４（以下、「ＳＷ−３」という場合がある。）が介在され、電源線７８には、第４のサブ電源スイッチ８６（以下、「ＳＷ−４」という場合がある。）が介在され、電源線８０には、第５のサブ電源スイッチ８８（以下、「ＳＷ−５」という場合がある。）が介在されている。
【００３６】
このＳＷ−２〜ＳＷ−５は、それぞれコントローラ１６（電源制御回路５２）に接続されている。メインコントローラ１６では、ＳＷ−２〜ＳＷ−５のオン・オフを制御する（電源制御信号２〜５）。なお、ＵＩパネル４６においては、第１の実施の形態では、表示系（例えば、タッチパネルのバックライトやハードキーの照明光源等）への電源をオフするものであり、タッチパネルの入力系、ハードキーの操作は常に有効とされる。
【００３７】
図４は、ＵＩパネル４６の一例を示しており、横長のベース板９０のほぼ中央には、タッチパネル部９２が配置されている。タッチパネル部９２は、入力系と出力系とを兼ね備えており、ソフト的に操作入力領域が設定され、当該操作入力領域の機能を表示する。さらに、タッチパネル部９２は、図示しないバックライトが設けられており、特に表示系が液晶表示装置である場合に、表示内容を見やすくしている。
【００３８】
タッチパネル部９２の図４の右側には、テンキー９４及び機能キー９６が集約されたハードキーユニット９８が設けられている。ハードキーユニット９８は、文字通り、タッチパネル部９２とは異なり、物理的に押圧操作をして指示を入力するものである。近年では、当該ハードキーの操作キー毎に透過光源で照明する場合がある。
【００３９】
ハードキーユニット９８には、少なくとも、ファクシミリ機能、画像読取（スキャン）機能、画像複写（コピー）機能、画像形成（プリンタ）機能の各機能を指示する機能指示キー９６Ｂ、９６Ｃ、９６Ｄ、９６Ｅと、当該機能を開始するためのスタートキー９６Ｆ、機能を中止するためのストップキー９６Ｇが設けられている。
【００４０】
また、ハードキーユニット９８には、節電キー９６Ａが設けられており、この節電キー９６Ａを単独で操作することで、第１のサブ電源スイッチ（ＳＷ−１）７０が「オフ」状態となり、節電モードに入るようになっている。また、節電モード中に節電キー９６Ａが操作されると、ＳＷ−１が「オン」状態となり、通常モードに復帰する。
【００４１】
ところで、前述したように、第１の実施の形態では、デバイスの非稼動時、かつ予め定めた条件が成立したときに、各デバイス（前記サブ電源スイッチのオン・オフで電源供給が制御されるデバイス）への電源の供給を自動的に遮断するようにしている。
【００４２】
予め定めた条件とは、タイマ時間であり、基本的には所謂利便性重視の観点に基づいて第１の計測時間Ｔ１が設定されるようになっている。
【００４３】
すなわち、デバイスが非稼動状態で第１の計測時間Ｔ１が経過すると、メインコントローラ１６では、第１のサブ電源スイッチ７０をオフする。
【００４４】
ここで、第１の実施の形態では、ＳＷ−２〜ＳＷ−５を設けることで、節電モード中に、特定の機能を実行したいとき、当該特定の機能に必要なデバイスだけ電源を供給する制御を可能としている。すなわち、節電モード中に、特定の機能に該当するサブ電源スイッチのみをオンにした状態でＳＷ−１をオンすることで、他のデバイスには電源供給がなされない状態となる（部分節電モード）。
【００４５】
さらに、第１の実施の形態では、タイマ回路５６（図２参照）に、前記第１の計測時間に加え、所謂節電効果重の観点に基づいて第２の計測時間Ｔ２を設定している。
【００４６】
ここで、タイマ回路５６に設定する第１の計測時間Ｔ１と第２の計測時間Ｔ２について、詳細に説明する。
【００４７】
タイマ回路５６は、予め計測時間の許容範囲が設定されている。
【００４８】
この許容範囲は、最短計測時間としてＴmin、最長計測時間としてＴmaxとされている（Ｔmin＜設定される計測時間Ｔ１又はＴ２＜Ｔmax）。
【００４９】
なお、計測時間Ｔ１又はＴ２の設定は、例えば、ユーザーが自由に設定可能としてもよいし、或いは、製造段階において設定可能とし、その後は固定（設定不可）としてもよい。
【００５０】
ここで、最短計測時間Ｔminは、当然計測時間が最も短いため、早期に給電が遮断されることとなり、当該タイマ回路５６では、究極の節電効果重視の計測時間である。
【００５１】
一方、最長計測時間Ｔmaxは、当然計測時間が最も長いため、次の処理に迅速に対応するために給電が継続されることとなり、当該タイマ回路５６では、究極の利便性重視の計測時間である。
【００５２】
まず、設定の手順としては、第１の計測時間Ｔ１を設定する。すなわち、計測時間Ｔ１は、Ｔmin＜計測時間Ｔ１＜Ｔmaxである。
【００５３】
その後、計測時間Ｔ２を設定するが、この計測時間は少なくとも計測時間Ｔ１よりも短いため、計測時間Ｔ２は、Ｔmin＜計測時間Ｔ２＜計測時間Ｔ１である。
【００５４】
結果として、Ｔmin＜計測時間Ｔ２＜計測時間Ｔ１＜Ｔmaxの関係性を維持して、計測時間Ｔ１、計測時間Ｔ２が設定されることになる。
【００５５】
なお、究極的には、計測時間Ｔ１＝Ｔmax、計測時間Ｔ２＝Ｔminとすればよいが、ユーザーの画像処理装置の使用状況によっては、これが最適でなく、例えば、使用状況の解析によって、画像読取部１４の使用頻度が高い傾向が明らかな場合は、画像読取部１４に関しては、利便性重視で計測時間Ｔ２をＴmax寄りに移行するといった設定が必要となる場合もある。
【００５６】
以下に第１の実施の形態の作用を説明する。
【００５７】
図５は、画像処理における電源供給制御ルーチンを示すフローチャートである。
【００５８】
ステップ１００では、全デバイスが節電中か否かが判断され、肯定判定されるとステップ１０２へ移行して節電ボタンが押下されたか否かが判断される。このステップ１０２で否定判定された場合は、このルーチンは終了する。また、ステップ１０２で肯定判定されると、ステップ１０４へ移行して、ＵＩパネル４６へ電力が供給され起動する。
【００５９】
次のステップ１０６では、サービス処理が指示されたか否かが判断され、肯定判定されると、ステップ１０８へ移行して指定されたサービス処理に必要なデバイスを選択する。なお、ここでは、詳細に説明していないが、ＵＩパネル４６が起動して、予め定めれられた時間内に何ら操作されない場合は、ＵＩパネル４６は、再度節電モードへ移行することになる。
【００６０】
次のステップ１１０では、選択されたデバイスに対して電力を供給して起動し、次いでステップ１１２へ移行して、指定されたサービス処理を実行して、このルーチンは終了する。
【００６１】
前記ステップ１００で否定判定、例えば、ステップ１１２でのサービス処理中や、サービス処理が終了した後は、デバイスの一部又は全部が給電されているため、ステップ１１４へ移行する。
【００６２】
ステップ１１４では、未処理デバイスがタイムアップしたか否かが判断される。すなわち、サービス処理が終了すると、後述するタイマ（Ｔ１又はＴ２）が起動するようになっており、このステップ１１４では、起動したタイマがタイムアップしたか否かを判断する。
【００６３】
このステップ１１４で肯定判定されると、ステップ１１６へ移行して、タイムアップしたデバイスを節電モードへ移行させ、このルーチンは終了する。
【００６４】
また、ステップ１１４で否定判定されると、ステップ１１８へ移行して、現時点でサービス処理が終了したデバイスが存在するか否かが判断される。
【００６５】
このステップ１１８で肯定判定されると、ステップ１２０へ移行してサービス処理が終了したデバイスに対して、タイマＴ１を起動し、このルーチンは終了する。
【００６６】
また、ステップ１１８で否定判定されると、電力が供給され、かつタイマ（Ｔ１又はＴ２）が起動しているデバイスが存在すると判断され、ステップ１２２へ移行する。
【００６７】
ステップ１２２では、新たなサービス処理の指示があったか否かが判断され、否定判定された場合は、このルーチンは終了する。
【００６８】
このステップ１２２で肯定判定されると、ステップ１２４へ移行して、この新たなサービス処理よりも前に指示されたサービス処理が実行中か否かが判断される。なお、新たなサービス処理が「後のサービス処理」であるのに対し、実行中のサービス処理を「先のサービス処理」という場合がある。
【００６９】
このステップ１２４で、前のサービス処理（先のサービス処理）が実行中ではない（終了している）と判定されると、ステップ１２６へ移行して指示された新たなサービス処理（後のサービス処理）に必要なデバイスを選択し、次いでステップ１２８へ移行して、給電中でありかつ後のサービスに必要なデバイス（以下、「必要デバイス」という）、及び、給電中でありかつ後のサービスに不必要なデバイス（以下、「不要デバイス」という）を抽出して、ステップ１３０へ移行する。
【００７０】
ステップ１３０では、必要デバイスに対して起動しているタイマＴ１を打切り、次いで、ステップ１３２へ移行して、不要デバイスに対して起動しているタイマＴ１を打切り、かつタイマＴ２を起動し、ステップ１３４へ移行する。
【００７１】
ステップ１３４では、後のサービス処理を実行し、このルーチンは終了する。
【００７２】
第１の実施の形態では、複数のデバイスに対して独立して、異なる計測時間のタイマ（Ｔ１又はＴ２）を設定可能とし、後のサービス処理が未確定の場合には、先のサービス処理で適用したデバイスに対して、当該先のサービス処理の終了時に、相対的に長いタイマＴ１を起動し、このタイマＴ１の起動中に、後のサービス処理の指示があった場合に、デバイスの適否の判断により、後のサービス処理に継続して必要なデバイスに対しては、起動したタイマＴ１を打切る。また、後のサービス処理に不必要なデバイスに対しては、起動したタイマＴ１を打切ると共に、タイマＴ１よりも短い計測時間のタイマＴ２を新たに起動する。この結果、不必要なデバイスを単一のタイマを使用する場合よりも、早期に節電モードへ移行させ、次のサービス処理（後のサービス処理）に必要となり得るデバイスを給電し続け、利便性を向上させるようにした。
【００７３】
図６は、第１の実施の形態において、複数のサービス処理が続いたときのタイマ管理の一例を示す、タイミングチャートである。
【００７４】
まず、図６（Ｂ）及び（Ｃ）の比較例を検証する。
【００７５】
図６（Ｂ）は、相対的に短い計測時間のタイマ（Ｔmin）を、単一のタイマとして設定した例（比較例１）である。
【００７６】
全てのデバイスが節電中に節電復帰（節電ボタン押下等）があると、ＵＩパネル４６が給電されてオンとなる。その後、サービス処理として複写処理が選択されると、この複写処理に必要なデバイス（画像読取部１４、画像形成部１２）が給電されてオンとなる。その後、複写処理が実行されて終了すると、タイマＴminが起動し、このタイマＴminがタイムアップすると、全てのデバイスがオフとなり、節電モードとなる。
【００７７】
しかし、そのすぐ後に、サービス処理として、セキュリティプリントが選択される場合を考えると、まず、節電復帰によりＵＩパネル４６に給電され（遠隔操作による起動信号等）、その後、セキュリプリントが選択されると、このセキュリティプリントに必要なデバイス（画像形成部１２）が給電されてオンとなる。その後、セキュリティプリントが実行されて終了すると、タイマＴminが起動し、このタイマＴminがタイムアップすると、全てのデバイスがオフとなり、節電モードとなる。
【００７８】
すなわち、複写処理のすぐ後に、セキュリティプリント処理がきたとき、既に節電モードに入っているため、立ち上がりに時間がかかる。従って、比較例１は、節電効果（省エ効果）としては優れているが、利便性が悪いという結果となる。
【００７９】
図６（Ｃ）は、相対的に長い計測時間のタイマ（Ｔmax）を、単一のタイマとして設定した例（比較例２）である。
【００８０】
全てのデバイスが節電中に節電復帰（節電ボタン押下等）があると、ＵＩパネル４６が給電されてオンとなる。その後、サービス処理として複写処理が選択されると、この複写処理に必要なデバイス（画像読取部１４、画像形成部１２）が給電されてオンとなる。その後、複写処理が実行されて終了すると、タイマＴmaxが起動し、このタイマＴmaxがタイムアップすると、全てのデバイスがオフとなり、節電モードとなる。
【００８１】
ここで、そのすぐ後に、サービス処理として、セキュリティプリントが選択される場合を考えると、まず、タイマＴmaxが長いため、依然としてデバイスに給電されているため、セキュリプリントが選択されると、このセキュリティプリントに必要なデバイス（画像形成部１２）が給電され続けているため、セキュリティプリントは即実行される。セキュリティプリントが実行されて終了すると、タイマＴmaxが起動し、このタイマＴmaxがタイムアップすると、全てのデバイスがオフとなり、節電モードとなる。
【００８２】
すなわち、複写処理のすぐ後に、セキュリティプリント処理がきたとき、不必要なデバイス（画像読取部１４）がＴmaxが経過するまで給電される。従って、比較例２は、利便性には優れているが、節電効果（省エ効果）としては劣っているという結果となる。
【００８３】
上記比較例１及び比較例２に対して、本実施の形態である図６（Ａ）は、所謂双方の長所を生かした制御を実現している。
【００８４】
図６（Ａ）に示される如く、全てのデバイスが節電中に節電復帰（節電ボタン押下等）があると、ＵＩパネル４６が給電されてオンとなる。その後、サービス処理として複写処理が選択されると、この複写処理に必要なデバイス（画像読取部１４、画像形成部１２）が給電されてオンとなる。その後、複写処理が実行されて終了すると、タイマＴ１が起動し、このタイマＴ１がタイムアップする前に、セキュリティプリントの指示がくると、このセキュリティプリントに必要なデバイス（画像形成部１２）に対しては、タイマＴ１が打ち切られ、給電が継続される。一方、セキュリティプリントに不必要なデバイス（画像読取部１４）に対しては、タイマＴ１が打ち切られると共に、新たな異タイマＴ２が起動する。なお、このタイマＴ１からＴ２への切り替えは、タイマＴ１の残り時間がＴ２を下回っていた場合はキャンセルするようにしてもよい。
【００８５】
いずれにしても、タイマＴ１によってセキュリティプリントの指示の猶予期間を延ばし、かつタイマＴ２によって不必要なデバイスは早期に節電モードとなる。
【００８６】
セキュリティプリントが実行されて終了すると、再度タイマＴ１が起動し、このタイマＴ１がタイムアップすると、全てのデバイスがオフとなり、節電モードとなる。
（第２の実施の形態）
図７は、第２の実施の形態に係る画像処理装置のメインコントローラ２００によって制御されるデバイス、並びにメインコントローラ２００、並びに各デバイスへ電源を供給するための電源装置２０２の電源ラインを主体とした概略構成図である。
【００８７】
図７に示される如く、メインコントローラ２００は、ＣＰＵ２０４、ＲＡＭ２０６、ＲＯＭ２０８、Ｉ／Ｏ（入出力部）２１０、及びこれらを接続するデータバスやコントロールバス等のバス２１２を有している。Ｉ／Ｏ２１０には、ＵＩ制御回路２１４を介してＵＩタッチパネル２１６が接続されている。また、Ｉ／Ｏ２１０には、ハードディスク（ＨＤＤ）２１８が接続されている。ＲＯＭ２０８やハードディスク２１８等に記録されているプログラムに基づいて、ＣＰＵ２０４が動作することによって、メインコントローラ２００の機能を実現する。なお、該プログラムを格納した記録媒体（ＣＤ−ＲＯＭ、ＤＶＤ−ＲＯＭ等）から該プログラムをインストールし、これに基づいてＣＰＵ２０４が動作することにより画像処理制御部１６の機能を実現してもよい。
【００８８】
Ｉ／Ｏ２１０には、タイマ回路２２０、通信回線Ｉ／Ｆ２２２が接続されている。さらに、Ｉ／Ｏ２１０には、画像読取制御部２２４、画像形成制御部２２６、画像複写制御部２２８、ファクシミリ受信制御部２３０、ファクシミリ送信制御部２３２が接続され、機能別に独立して制御するようになっている。
【００８９】
画像読取制御部２２４、画像形成制御部２２６、画像複写制御部２２８、ファクシミリ受信制御部２３０、ファクシミリ送信制御部２３２は、デバイス選択Ｉ／Ｆ２３４に接続されている。
【００９０】
デバイス選択Ｉ／Ｆ２３４は、ファクシミリ通信制御回路（モデム）２３６、画像読取部２３８、画像形成部２４０の各デバイスに接続され、前記画像読取制御部２２４、画像形成制御部２２６、画像複写制御部２２８、ファクシミリ受信制御部２３０、ファクシミリ送信制御部２３２における制御動作の実行に基づき、選択されるようになっている。
【００９１】
なお、前記タイマ回路２２０は、前記ファクシミリ通信制御回路２３６、画像読取部２３８、画像形成部２４０を節電状態（電源非供給状態）とするための契機として、初期設定時間、或いは猶予設定時間の計時を行うものである。
【００９２】
メインコントローラ２００及び各デバイス（ファクシミリ通信制御回路２３６、画像読取部２３８、画像形成部２４０）は、電源装置２０２から電源が供給される（図７の鎖線参照）。なお、図７では、電源線を１本の鎖線で示しているが、実際には２本〜３本の配線である。
【００９３】
商用電源２４２から引き込まれた入力電源線２４４は、メインスイッチ２４６に接続されている。メインスイッチ２４６がオンされることで、第１の電源部２４８及び第２の電源部２５０へ電力供給が可能となる。
【００９４】
第１の電源部２４８は、制御用電源生成部２４８Ａを備え、メインコントローラ２００の電源供給制御回路２５２に接続されている。電源供給制御回路２５２は、メインコントローラ２００に電源供給すると共に、Ｉ／Ｏ２１０に接続され、メインコントローラ２００の制御プログラムに従って、前記各デバイス（ファクシミリ通信制御回路２３６、画像読取部２３８、画像形成部２４０）への電源供給線を導通/非導通させるためのスイッチング制御を行う（後述）。
【００９５】
一方、第２の電源部２５０へ接続される電源線２５４には、第１のサブ電源スイッチ２５６（以下、「ＳＷ−Ａ」という場合がある。）が介在されている。このＳＷ−Ａは、前記電源供給制御回路２５２で、オン・オフが制御されるようになっている。
【００９６】
また、第２の電源部２５０は、高電圧電源生成部（ＨＶＰＳ）２５０Ｈと低電圧電源生成部（ＬＶＰＳ）２５０Ｌを備えている。高電圧電源生成部（ＨＶＰＳ）２５０Ｈは主として画像形成部２４０の帯電部、現像部、転写部等で使用される電源である。
【００９７】
第２の電源部２５０の高電圧電源生成部（ＨＶＰＳ）２５０Ｈ及び低電圧電源生成部（ＬＶＰＳ）２５０Ｌは、選択的に、画像読取機能電源供給部２５８、画像形成機能電源供給部２６０、画像複写機能電源供給部２６２、ファクシミリ受信機能電源供給部２６４、ファクシミリ送信機能電源供給部２６６に接続されている。
【００９８】
画像読取機能電源供給部２５８は、低電圧電源生成部（ＬＶＰＳ）２５０Ｌを入力源として、第２のサブ電源スイッチ２６８（以下、「ＳＷ−Ｂ」という場合がある。）を介して、画像読取部２３８に接続されている。
【００９９】
画像形成機能電源供給部２６０は、高電圧電源生成部（ＨＶＰＳ）２５０Ｈと低電圧電源生成部（ＬＶＰＳ）２５０Ｌを入力源として、第３のサブ電源スイッチ２７０（以下、「ＳＷ−Ｃ」という場合がある。）を介して、画像形成部２４０に接続されている。
【０１００】
画像複写機能電源供給部２６２は、高電圧電源生成部（ＨＶＰＳ）２５０Ｈと低電圧電源生成部（ＬＶＰＳ）２５０Ｌを入力源として、第４のサブ電源スイッチ２７２（以下、「ＳＷ−Ｄ」という場合がある。）を介して、画像読取部２３８及び画像形成部２４０に接続されている。
【０１０１】
ファクシミリ受信機能電源供給部２６４は、高電圧電源生成部（ＨＶＰＳ）２５０Ｈと低電圧電源生成部（ＬＶＰＳ）２５０Ｌを入力源として、第５のサブ電源スイッチ２７４（以下、「ＳＷ−Ｅ」という場合がある。）を介して、ファクシミリ通信制御回路２３６及び画像形成部２４０に接続されている。
【０１０２】
前記第２のサブ電源スイッチ２６８、第２のサブ電源スイッチ２７０、第２のサブ電源スイッチ２７２、第２のサブ電源スイッチ２７４、第２のサブ電源スイッチ２７６は、それぞれ前記第１のサブ電源スイッチ２５６と同様に、メインコントローラ２００の電源供給制御回路２５２からの電源供給選択信号に基づいて、オン・オフ制御される。
【０１０３】
ファクシミリ送信機能電源供給部２６６は、低電圧電源生成部（ＬＶＰＳ）２５０Ｌを入力源として、第６のサブ電源スイッチ２７６（以下、「ＳＷ−Ｆ」という場合がある。）を介して、画像読取部２３８に接続されている（通信レポート等の出力を除く）。
【０１０４】
上記構成の第２の実施の形態では、機能別に各デバイス（ファクシミリ通信制御回路２３６、画像読取部２３８、画像形成部２４０）を選択した電源を供給し、指示された機能に不要なデバイスへの電源を供給しないため、必要最小限の電力で済む。
【０１０５】
また、機能別に制御することで、それぞれの機能が終了するまでは節電状態にはなりにくく、頻繁に通常状態と節電状態とを繰り返し、かえって非効率な稼働となることを防止する。言い換えれば、指定された機能の処理が完了するまで、節電状態にせず、現状で待機する。
【符号の説明】
【０１０６】
１０    画像処理装置
１２    画像形成部
１４    画像読取部
１６    メインコントローラ
２４    画像形成制御部
２６    画像読取制御部
２０    ネットワーク通信回線網
２２    電話回線網
２８    ＣＰＵ
３０    ＳＡＴＡライン
３２    ハードディスク（ＨＤＤ）
３４    メモリバス
３６    システムＲＡＭ
３８    プログラムＲＯＭ
４０    第１のＰＣＩバス
４２    ユーザインターフェイス（ＵＩ）制御回路
４４    ビデオインタフェース回路（Ｖ−Ｉ／Ｆ）
４６    ＵＩパネル
４８    第２のＰＣＩバス
５０    ネットワークＩ／Ｆ回路
５２    電源制御回路
５４    ホストコンピュータ
５８    電源装置
６０    商用電源（ＡＣ電源）線
６２    メインスイッチ
６４    第１の電源部
６６    第２の電源部
６８    電源線
７０    第１のサブ電源スイッチ７０（ＳＷ−１）
７２    ファクシミリ
７４、７６、７８、８０    電源線
８２    第２のサブ電源スイッチ（ＳＷ−２）
８４    第３のサブ電源スイッチ（ＳＷ−３）
８６    第４のサブ電源スイッチ（ＳＷ−４）
８８    第５のサブ電源スイッチ（ＳＷ−５）
９０    ベース板
９２    タッチパネル部
９４    テンキー
９６    機能キー
９８    ハードキーユニット
９６Ｂ、９６Ｃ、９６Ｄ、９６Ｅ    機能指示キー
９６Ｆ    スタートキー
９６Ｇ    ストップキー
９８    ハードキーユニット
９６Ａ    節電キー
【図２】
0005605014.tif 000002
【図３】
0005605014.tif 000003
【図１】
0005605014.tif 000004
【図４】
0005605014.tif 000005
【図５】
0005605014.tif 000006
【図６】
0005605014.tif 000007
【図７】
0005605014.tif 000008